【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
ホームネットワークにおけるメディアレンダリングデバイスによりレンダリングされるコンテンツの中断されない再生のための方法であって、
前記メディアレンダリングデバイスは、複数のコンテンツソースから利用可能なコンテンツをレンダリングするように構成され、前記ホームネットワークは、前記メディアレンダリングデバイスを制御するために複数のコントローラデバイスを有し、
当該方法は、
前記ホームネットワーク内の前記メディアレンダリングデバイスを保持し、前記メディアレンダリングデバイスがコンテンツをレンダリングしているかどうかを確認し、そうである場合には、
前記メディアレンダリングデバイスがコンテンツのその現在進行中のレンダリングを中断せずに続けたいかどうかを確認し、そうである場合には、
任意のコントローラデバイスがレンダリングサービス要求を呼び出す前に如何なるレンダリングサービス要求も予約しない及び呼び出さないよう前記複数のコントローラデバイスに通知するように前記メディアレンダリングデバイスを構成し、これにより、レンダリングサービス要求の処理を停止し、
前記メディアレンダリングデバイスは、イベントメカニズムを用い、前記レンダリングサービス要求の処理が一時的に無効にされるよう１又はそれ以上のコントローラデバイスに通知し、これにより、前記コントローラデバイスが特定のレンダリングサービスに関連するイベントを予約するのを許可しない、方法。
【請求項２】
前記メディアレンダリングデバイスを構成することは、
ＵＰｎＰ  Ａｕｄｉｏ／Ｖｉｄｅｏ  ＴｒａｎｓｐｏｒｔサービスのＡ／Ｖ再生制御に関連するレンダリングサービス要求を一時的に無効にすること、
ＵＰｎＰ  Ｒｅｎｄｅｒｉｎｇ  Ｃｏｎｔｒｏｌ  Ｓｅｒｖｉｃｅｓに関連するレンダリングサービス要求を一時的に無効にすること、
Ａｕｄｉｏ／Ｖｉｄｅｏ  Ｔｒａｎｓｐｏｒｔサービス内の新たなＵＲＬの設定に関連するレンダリングサービス要求を一時的に無効にすること、
レンダリングが進行中の間、予め決められたコンテンツソースからのコンテンツのレンダリングに関連するレンダリングサービス要求を一時的に無効にすること、
のうち少なくとも１つを更に有する、請求項１に記載の方法。
【請求項３】
前記メディアレンダリングデバイスを構成することは、特定のコントローラデバイスにより呼び出されるレンダリングサービス要求の処理を一時的に無効にすることを更に有し、これにより、優先順位付与を可能にし、
前記特定のコントローラデバイスは、
子供により使用されるコントローラデバイス、
ゲストにより使用されるコントローラデバイス、
配偶者により使用されるコントローラデバイス、
のうち少なくとも１つである、請求項１に記載の方法。
【請求項４】
前記メディアレンダリングデバイスを構成することは、
第１のコントローラデバイスにより呼び出されたレンダリングサービス要求が処理されたかどうか確認し、そうである場合は、前記第１のコントローラデバイスに優先順位をつけ、前記第１のコントローラデバイス以外のコントローラデバイスにより呼び出されるレンダリングサービス要求の処理を一時的に無効にすることを更に有する、請求項３に記載の方法。
【請求項５】
各コントローラデバイスは、固有の識別情報を前記メディアレンダリングデバイスに出力し、これにより、対応するコントローラデバイス上でのレンダリングサービスの一時的な無効化を促進する、請求項１に記載の方法。
【請求項６】
前記メディアレンダリングデバイスの電源オンは、一時的に無効にされたレンダリングサービスを有効にする、請求項１に記載の方法。
【請求項７】
ホームネットワーク内のメディアレンダリングデバイスによりレンダリングされるコンテンツの中断されない再生を提供するための論理ユニットであって、
前記メディアレンダリングデバイスは、複数のソースから利用可能なコンテンツをレンダリングするように構成され、
当該論理ユニットは、
前記ホームネットワーク内の前記メディアレンダリングデバイスを保持し、前記メディアレンダリングデバイスがコンテンツをレンダリングしているかどうかを確認するための保持ユニットと、
前記メディアレンダリングデバイスがコンテンツのその現在進行中のレンダリングを中断せずに継続したいかどうかを確認するための確認ユニットと、
任意のコントローラデバイスがレンダリングサービス要求を呼び出す前に如何なるレンダリングサービス要求も予約しない及び呼び出さないよう前記複数のコントローラデバイスに通知するように前記メディアレンダリングデバイスを構成し、これにより、レンダリングサービス要求の処理を停止する構成ユニットとを有し、
前記メディアレンダリングデバイスは、イベントメカニズムを用い、前記レンダリングサービス要求の処理が一時的に無効にされるよう１又はそれ以上のコントローラデバイスに通知し、これにより、前記コントローラデバイスが特定のレンダリングサービスに関連するイベントを予約するのを許可しない、論理ユニット。
【請求項８】
請求項７に記載の論理ユニットを有する、ホームネットワークシステム。
【請求項９】
請求項１−６のうちいずれか一項に記載の方法を実行するための実行可能なプログラムコードを有する、ソフトウエアプログラム。
【手続補正２】
【補正対象書類名】明細書
【補正対象項目名】０００５
【補正方法】変更
【補正の内容】
【０００５】
本主題の目的は、ホームネットワークにおけるメディアレンダリングデバイスによりレンダリングされるコンテンツの中断されない再生のための方法であって、前記メディアレンダリングデバイスは、複数のコンテンツソースから利用可能なコンテンツをレンダリングするように構成され、前記ホームネットワークは、前記メディアレンダリングデバイスを制御するために複数のコントローラデバイスを有し、当該方法は、前記ホームネットワーク内の前記メディアレンダリングデバイスを保持し、前記メディアレンダリングデバイスがコンテンツをレンダリングしているかどうかを確認し、そうである場合には、前記メディアレンダリングデバイスがコンテンツのその現在進行中のレンダリングを中断せずに続けたいかどうかを確認し、そうである場合には、レンダリングサービス要求を予約しない及び呼び出さないよう前記複数のコントローラデバイスに通知するように前記メディアレンダリングデバイスを構成し、これにより、レンダリングサービス要求の処理を停止する、方法を提供することにより実現される。
【手続補正３】
【補正対象書類名】明細書
【補正対象項目名】００２２
【補正方法】変更
【補正の内容】
【００２２】
更なる実施形態において、メディアレンダリングデバイスは、イベントメカニズムを用い、レンダリングサービス要求の処理が一時的に無効にされるよう１又はそれ以上のコントローラデバイスに通知する。この実施形態は、（例えば、時間停止が実施されている間）コントローラデバイスが特定のレンダリングサービスに関連するイベントを予約するのを許可しないことをもたらし得る。これは、ホームネットワークトラフィック及び処理パワーを軽減することができる。
【手続補正４】
【補正対象書類名】明細書
【補正対象項目名】００２５
【補正方法】変更
【補正の内容】
【００２５】
本主題の他の目的において、ホームネットワーク内のメディアレンダリングデバイスによりレンダリングされるコンテンツの中断されない再生を提供するための論理ユニットが開示される。メディアレンダリングデバイスは、複数のソースからの利用可能なコンテンツをレンダリングするように構成される。論理ユニットは、ホームネットワーク内のメディアレンダリングデバイスを保持し、メディアレンダリングデバイスがコンテンツをレンダリングしているかどうかを確認するための保持ユニットと、前記メディアレンダリングデバイスがコンテンツのその現在進行中のレンダリングを中断せずに継続したいかどうかを確認するための確認ユニットと、レンダリングサービス要求を予約しない及び呼び出さないよう前記複数のコントローラデバイスに通知するように前記メディアレンダリングデバイスを構成し、これにより、レンダリングサービス要求の処理を停止する構成ユニットと、を有する。
【手続補正５】
【補正対象書類名】明細書
【補正対象項目名】００３９
【補正方法】変更
【補正の内容】
【００３９】
ユーザが認識しない現在進行中の再生の中断が存在する。それ故、テレビ１２０ａが、テレビがその現在進行中の再生を中断せずに続けたいときにはこれらの要求をプッシュしないようコントローラデバイス１４０ａ，１４０ｂ，１４０ｃ...１４０ｎに要求する必要がある。
【手続補正６】
【補正対象書類名】明細書
【補正対象項目名】００４２
【補正方法】変更
【補正の内容】
【００４２】
図２によれば、開示された方法の奥の思想は、メディアレンダリングデバイスにより処理されるべきレンダリングサービス要求を予約しない及び呼び出さないようコントローラデバイスに通知することである。これは、進行中の再生が中断することなく継続するのを可能にする。更に、メディアレンダリングデバイスは、ホームネットワーク内で保持され、メディアレンダリングデバイスとして認識される。
【手続補正７】
【補正対象書類名】明細書
【補正対象項目名】００４５
【補正方法】変更
【補正の内容】
【００４５】
そして、ステップ２０６において、テレビ１０２ａは、メディアレンダリングデバイスにより処理されるべきレンダリングサービス要求を予約しない及び呼び出さないようコントローラデバイス１４０ａ，１４０ｂ...１４０ｎに通知するように構成され、これにより、サービス要求をレンダリングする処理を停止する。これは、テレビ１０２ａがコンテンツの中断されない再生を提供するのを可能にする。
【手続補正８】
【補正対象書類名】明細書
【補正対象項目名】００４８
【補正方法】変更
【補正の内容】
【００４８】
中断されない再生を提供するためにレンダリングサービス内の特定の動作を一時的に無効にすることも可能であり得る。これは、サービスごとの動作ごとの停止された状態情報が存在し得ることを意味し得る。この情報は、コントローラデバイス（例えば、１４０ａ）により問い合わせられ得る。テレビ１０２ａは、最後の変更イベントを介してコントローラデバイス（例えば、１４０ａ）に通知することができる。
【手続補正９】
【補正対象書類名】明細書
【補正対象項目名】００５８
【補正方法】変更
【補正の内容】
【００５８】
更なる実施形態において、テレビ１０２ａは、イベントメカニズムを用いることができ、レンダリングサービス要求の処理が一時的に無効にされるよう１又はそれ以上のコントローラデバイス１４０ａ、１４０ｂに通知することができる。これは、（例えば、時間停止が実施されている間）コントローラデバイスが特定のレンダリングサービスに関連するイベントを予約するのを禁止することをもたらし得る。これは、ホームネットワークトラフィックを節約することができ、これにより、処理電力を節約する。
【手続補正１０】
【補正対象書類名】明細書
【補正対象項目名】００６４
【補正方法】変更
【補正の内容】
【００６４】
図３によれば、ホームネットワーク１００におけるメディアレンダリングデバイス１０２ａによりレンダリングされるコンテンツの中断されない再生を提供するための論理ユニット３０２が開示されている。メディアレンダリングデバイス１０２ａは、複数のソース１０４，１０６，１０８，１１０，１１２から利用可能なコンテンツをレンダリングするように構成される。論理ユニット３０２は、ホームネットワーク内のメディアレンダリングデバイス１０２ａを保持し、メディアレンダリングデバイスがコンテンツをレンダリングしているかどうかを確認するための保持ユニット３０２ａと、前記メディアレンダリングデバイスがコンテンツのその現在進行中のレンダリングを中断せずに継続したいかどうかを確認するための確認ユニット３０２ｂと、レンダリングサービス要求を予約しない及び呼び出さないよう前記複数のコントローラデバイスに通知するように前記メディアレンダリングデバイスを構成し、これにより、サービス要求をレンダリングする処理を停止する構成ユニット３０２ｃと、を有する。
【手続補正１１】
【補正対象書類名】明細書
【補正対象項目名】００６６
【補正方法】変更
【補正の内容】
【００６６】
要約すると、ホームネットワークにおけるメディアレンダリングデバイスによりレンダリングされるコンテンツの中断されない再生を提供する方法が開示される。本方法は、ホームネットワーク内のメディアレンダリングデバイスを保持し、メディアレンダリングデバイスがコンテンツをレンダリングしているかどうかを確認し、そうである場合には、メディアレンダリングデバイスがコンテンツのその現在進行中のレンダリングを中断せずに続けたいかどうかを確認し、そうである場合には、レンダリングサービス要求を予約しない及び呼び出さないよう複数のコントローラデバイスに通知するようにメディアレンダリングデバイスを構成し、これにより、レンダリングサービス要求の処理を停止する。
【手続補正１２】
【補正対象書類名】明細書
【補正対象項目名】００６８
【補正方法】変更
【補正の内容】
【００６８】
開示された主題は、他の領域（例えば照明）に拡張され得る。例示的な状況として、電球は、光レンダリング装置とみなされ得る。４つのスイッチ（Ｓ１、Ｓ２、Ｓ３及びＳ４）は、電球コントローラとみなされ得る。ユーザは、１つのスイッチ（Ｓ１）を用いて電球をオンに切り替えてもよく、その電球が、他の残りのスイッチ（Ｓ２、Ｓ３及びＳ４）を介して他のものによりオフに切り替えられることを望まないだろう。それ故、ユーザは、電球を斯様なモードに設定することができ、当該モードは、残りのスイッチ（Ｓ２、Ｓ３及びＳ４）に通知し、更に、スイッチＳ２、Ｓ３及びＳ４が電球を制御するのを無効にする。